(57)【要約】【課題】支柱の支持強度を高めるとともに、美観を向上させる。【解決手段】什器の天板１１に形成された開口部１３と、開口部１３の下方に設けられ、上方に開口したボックス本体２１と、ボックス本体２１の底面２２に着脱可能に固定されるベースプレート５１と、ベースプレート５１に固定され、天板１１の上方に配置される物品を支持する支柱５０の下端部５０ａを支持する支柱支持部５６と、を備える。【選択図】図６
2014090931.tif 000002
【特許請求の範囲】
【請求項１】
什器の天板に形成された開口部と、
前記開口部の下方に設けられ、上方に開口したボックス本体と、
前記ボックス本体の底面に着脱可能に固定されるベースプレートと、
前記ベースプレートに固定され、前記天板の上方に配置される物品を支持する支柱の下端部を支持する支柱支持部と、
を備えることを特徴とする什器。
【請求項２】
前記ボックス本体に、前記天板の下方において該ボックス本体の内外を連通する連通部が形成されていることを特徴とする請求項１に記載の什器。
【請求項３】
前記開口部を塞ぐ蓋体が装着可能とされ、前記蓋体は、前記支柱を挿通させる支柱挿通孔を有するとともに、前記支柱挿通孔を中心として分割された複数の蓋部材からなることを特徴とする請求項１または２に記載の什器。
【請求項４】
前記開口部の周縁部の一部に、前記蓋部材を支持する受け部が設けられていることを特徴とする請求項３に記載の什器。
【請求項５】
前記蓋部材において前記開口部の周縁部に沿う外周部が、前記受け部に支持され、第一の材料からなる被支持部と、第二の材料からなり、前記被支持部以外の残部と、を有し、
前記第一の材料が、前記第二の材料よりも高い剛性を有していることを特徴とする請求項４に記載の什器。
【請求項６】
前記支柱支持部は、前記ベースプレートに固定され、前記支柱の下端部が挿入可能な筒状のスリーブ部材であることを特徴とする請求項１から５のいずれか一項に記載の什器。
【請求項７】
前記物品が、照明装置であることを特徴とする請求項１から６のいずれか一項に記載の什器。
【発明の詳細な説明】
【技術分野】
【０００１】
本発明は、オフィス等の執務空間にて使用される什器に関する。
【背景技術】
【０００２】
オフィス等の執務空間にて使用される作業用の天板を有する什器においては、天板上での作業性向上のため、天板上の照度が十分に確保されることが望ましい。一般的には、執務空間の天井に取り付けられた天井照明と、この天井照明での不足分を補う照明装置とによって照度が確保されている。
【０００３】
この種の照明装置として、旧来より、いわゆる照明スタンドが広く用いられている。照明スタンドは、照明器具を支持する支柱が、什器の天板上に載置される台座や、天板の外周部をクランプする金具に設けられている。
しかし、台座を有した照明スタンドは、設置するのに什器の天板上のスペースを要し、また、クランプ金具を有した照明スタンドは、什器の天板の外周部にしか設置できないという問題がある。
【０００４】
そこで、例えば、什器の天板上に複数本の支柱を立設し、これら支柱の上端部間を渡るようにして設けられた照明取付部材に照明器具を設けた照明装置が提案されている（例えば、特許文献１参照。）。
このような構成によれば、天板上に形成されたレール等に支柱の下端部を固定することで、天板上に支柱を立設している。
【先行技術文献】
【特許文献】
【０００５】
【特許文献１】特開２０１１−６５８４４号公報
【発明の概要】
【発明が解決しようとする課題】
【０００６】
しかしながら、特許文献１に記載されたような構成の照明装置では、照明装置の不使用時にも、什器の天板上に支柱を固定するためのレールが露出することとなり、美観が損なわれるという問題がある。
また、レールが照明装置に対して細いため、より大型の照明装置や、その他の部材をレールに取り付けようとした場合等に、支柱の支持強度が不足する可能性がある。
そこでなされた本発明の目的は、支柱の支持強度を高めるとともに、美観を向上させることのできる什器を提供することである。
【課題を解決するための手段】
【０００７】
本発明は、上記課題を解決するため、以下の手段を採用する。
すなわち、本発明の什器は、什器の天板に形成された開口部と、前記開口部の下方に設けられ、上方に開口したボックス本体と、前記ボックス本体の底面に着脱可能に固定されるベースプレートと、前記ベースプレートに固定され、前記天板の上方に配置される物品を支持する支柱の下端部を支持する支柱支持部と、を備えることを特徴とする。
【０００８】
このような什器においては、ボックス本体の底面にベースプレートを固定し、物品の支柱の下端部を支柱支持部で支持することによって、天板の上方に物品を配置することができる。このとき、ボックス本体の底面にベースプレートを固定することで、支柱を強固に支持することができる。
また、ベースプレートや支柱支持部を開口部の下方のボックス本体内に収容することで、天板上の美観を向上させることができる。
【０００９】
また、前記ボックス本体に、前記天板の下方において該ボックス本体の内外を連通する連通部が形成されているのが好ましい。
この連通部を通して、物品の電源コード等の配線を挿通させることができる。
【００１０】
さらに、前記開口部を塞ぐ蓋体が装着可能とされ、前記蓋体は、前記支柱を挿通させる孔を有するとともに、前記孔を中心として分割された複数の蓋部材からなるものとするのが好ましい。
蓋体を装着することで、天板上の美観をさらに向上させることができる。しかも、蓋体を、孔を中心として複数に分割した蓋部材からなるものとすることで、支柱支持部で下端部を支持した支柱を立てたままの状態で、蓋体で開口部を塞ぐことができる。
ここで、蓋部材の分割数は複数であればいかなる数であっても良い。
【００１１】
また、前記開口部の周縁部の一部に、前記蓋部材を支持する受け部が設けられた構成としても良い。これによって、蓋部材を確実に支持することができる。
この受け部には、他のオプション部材等を支持するオプション部材保持穴等を形成しても良い。その場合、蓋部材には、オプション部材保持穴に対向する部分に切欠きを設けるようにしても良い。これによって、蓋体で開口部を塞いだ状態でも、他のオプション部材等を装着することができる。
【００１２】
前記蓋部材において前記開口部の周縁部に沿う外周部が、第一の材料からなり前記受け部に支持される被支持部と、第二の材料からなり、前記被支持部以外の残部と、を有し、前記第一の材料が、前記第二の材料よりも高い剛性を有しているようにしても良い。
これにより、被支持部で蓋部材を確実に支持しつつ、残部においては、蓋部材と開口部との隙間から配線等を通すことも可能となる。
【００１３】
前記支柱支持部は、支柱の下端部を支持できるのであればいかなる構成としても良いが、前記ベースプレートに固定され、前記支柱の下端部が挿入可能な筒状のスリーブ部材である構成としても良い。
これにより、スリーブ部材に支柱の下端部を挿入すれば、支柱の下端部を安定して支持できる。
【００１４】
上記の支柱で支持する物品は、いかなるものとしても良いが、例えば物品を、照明装置とすることができる。
【発明の効果】
【００１５】
本発明によれば、支柱の支持強度を高めるとともに、美観を向上させることができる。
【図面の簡単な説明】
【００１６】
【図１】本実施形態におけるテーブルを示す斜視図である。
【図２】テーブルに設けたボックス部における支柱の支持構造を示すための斜視展開図である。
【図３】ボックス部材を示す図であって、（ａ）は平面図、（ｂ）は正面図、（ｃ）は側面図である。
【図４】開口部の下方に設けたボックス部材およびベースプレートを示す平面図である。
【図５】図４の正断面図である。
【図６】図５の側断面図である。
【図７】蓋体を示す平面図である。
【図８】ベースプレートの斜視図である。
【図９】ベースプレートを示す図であって、（ａ）は平面図、（ｂ）は正面図、（ｃ）は側面図である。
【図１０】本実施形態におけるテーブルの他の例を示す図であり、ボックス部における支柱の支持構造を示す正断面図である。
【図１１】図１０の側断面図である。
【発明を実施するための形態】
【００１７】
以下、添付図面を参照して、本発明による什器の実施形態を説明する。しかし、本発明はこの実施形態に限定されるものではない。
図１に示すように、テーブル（什器）１０は、物品を載置可能な上面１１ａを有する天板１１と、天板１１を支持する脚部１２と、天板１１の上面１１ａから窪むように形成されたボックス部２０と、を備えている。
【００１８】
天板１１は、例えば正方形状をなした板材からなる。この天板１１は、正方形状に限られず、例えば長方形状、円形状、長円形状、多角形状、楕円形状等であっても良い。
このようなテーブル１０では、天板１１の上面１１ａの作業スペースを、複数の執務者が共有して使用できるようになっている。
【００１９】
脚部１２は、棒状をなしており、天板１１を下方から安定して支持可能なように互いに間隔をあけて複数配設されている。
【００２０】
ボックス部２０は、天板１１の例えば中央部に形成されている。
図２に示すように、ボックス部２０は、天板１１に形成された例えば矩形の開口部１３の下方に、上方に開口した金属製、樹脂製等のボックス本体２１を備えている。
【００２１】
図３（ａ）〜（ｃ）に示すように、ボックス本体２１は、矩形の底板部（底面）２２と、底板部２２の四辺から上方に立ち上がる側板部２３と、を有している。
底板部２２は、開口部１３の開口寸法よりも大きくなるよう、その四辺の長さが設定されている。
４枚の側板部２３のうち、互いに対向する２枚の側板部２３Ａ，２３Ａは、その幅方向の中間壁部２３ｄに対し、両側が上方に延びる延長壁部２３ｅ，２３ｅとされ、延長壁部２３ｅ，２３ｅの上端部に、延長壁部２３ｅに直交してボックス本体２１の外方に延びる取付プレート部２４が形成されている。各取付プレート部２４には、それぞれ貫通孔２５が形成されている。図４〜図６に示すように、これらの貫通孔２５のそれぞれを通して図示しないネジ部材を天板１１の下面１１ｂにねじ込むことによって、ボックス本体２１が天板１１の下面１１ｂに固定されている。ここで、取付プレート部２４は、天板１１の下面１１ｂにおいて、開口部１３を挟んだ両側に位置するよう固定されている。これにより、図５に示すように、天板１１の下方において、側板部２３Ａ、２３Ａの中間壁部２３ｄと天板１１の下面１１ｂとの間に、ボックス本体２１の内外を連通して、配線などを挿通させることのできる配線挿通部（連通部）２６が形成されている。
また、図３（ｃ）に示すように、４枚の側板部２３のうち残る２枚の側板部２３Ｂ，２３Ｂは、側板部２３Ａ，２３Ａの中間壁部２３ｄと同等の高さｈを有し、側板部２３Ｂの幅ｗが、底板部２２において側板部２３Ｂが設けられた辺２２ａの長さより小さく形成されている。これにより、図６に示すように、側板部２３Ｂの上方と両側には、天板１１の下方において、側板部２３Ｂ，２３Ｂと天板１１の下面１１ｂとの間に、ボックス本体２１の内外を連通して、配線などを挿通させることのできる配線挿通部（連通部）２７が形成されている。
【００２２】
図２、図４に示すように、開口部１３の四隅には、受け部材３０が設けられている。各受け部材３０は、Ｌ字状の取付ベース部３１と、取付ベース部３１の屈曲方向内側に形成されたブラケット部３２と、が一体に形成されている。
図４〜図６に示すように、取付ベース部３１には、複数の貫通孔３３が形成されている。開口部１３の外周側において、各貫通孔３３を通して天板１１の下面１１ｂに図示しないネジ部材がねじ込まれることで、受け部材３０が天板１１に固定されている。
図４に示すように、ブラケット部３２は、開口部１３の隅部１３ａに近接し、天板１１の上面１１ａに直交して下方に延びるオプション部材保持穴３５と、オプション部材保持穴３５に近接して形成された平面状の受け部３６と、を備えている。オプション部材保持穴３５には、各種のオプション部材の脚等を挿入することにより、オプション部材を天板１１上にセットできるようになっている。受け部３６は、オプション部材保持穴３５に対し、開口部１３の周縁部１３ｂ，１３ｂに沿って延びるよう形成されている。図２に示すように、この受け部３６は、天板１１の上面１１ａよりも所定寸法下方に位置するよう形成されている。
【００２３】
図２に示すように、開口部１３には、これを塞ぐ矩形状の蓋体４０が装着可能とされている。図７に示すように、蓋体４０は、二個一対の長方形状の蓋部材４１，４１から構成されている。蓋体４０は、これら二個一対の蓋部材４１，４１を付き合わせた状態で、中央部に貫通孔（支柱挿通孔）４２が形成されるよう、各蓋部材４１の長辺４１ａの中央部に、半円形状の凹部４２ａが形成されている。これにより、蓋体４０は、貫通孔４２を中心として蓋体４０を複数に分割した複数の蓋部材４１，４１から構成されている。
また、各蓋部材４１において開口部１３の周縁部１３ｂに沿う外周部、より具体的には、蓋部材４１の長辺４１ａに対向する長辺４１ｂと、長辺４１ａの両側に隣接する短辺４１ｃ，４１ｃに、それぞれ、外方に張り出す張り出し部４３，４４が形成されている。張り出し部４３，４４は、長辺４１ｂおよび短辺４１ｃの、ほぼ全長にわたる部分にのみ形成されており、長辺４１ｂと両側の短辺４１ｃとが交差する角部４１ｄの部分は切り欠き部４５とされている。この切り欠き部４５は、前記の受け部材３０のオプション部材保持穴３５を露出させる大きさに形成されている。
また、張り出し部４３，４４において、切り欠き部４５に近接する端部（被支持部）４３ａ，４４ａは、ＡＢＳ等の硬質樹脂（第一の材料）で形成され、端部４３ａ，４４ａ以外の残部４３ｂ，４４ｂは、ゴム系材料や、エラストマー等の軟質樹脂（第二の材料）で形成するのが好ましい。
【００２４】
図２に示すように、このような蓋部材４１，４１は、長辺４１ａどうしを付き合わせた状態で、張り出し部４３，４４の端部４３ａ，４４ａを、受け部材３０の受け部３６上に載せて支持させることで、開口部１３に設置される。これにより、蓋体４０によって、開口部１３が閉塞され、その中央部には、貫通孔４２が形成される。このとき、受け部材３０の受け部３６上に支持される張り出し部４３，４４の端部４３ａ，４４ａは、残部４３ｂ，４４ｂよりも高い剛性を有した硬質材料で形成されているので、蓋部材４１が確実に支持される。また、残部４３ｂ，４４ｂを、ゴム系材料や軟質樹脂で形成することで、蓋部材４１と開口部１３の周縁部１３ｂの隙間から、配線等を通すことも可能となる。
【００２５】
上記したようなボックス部２０には、照明装置をはじめとする各種のオプション部材（物品）を支持する支柱５０のベースプレート５１が着脱可能に固定できるようになっている。
図８、図９（ａ）〜（ｃ）に示すように、ベースプレート５１は、矩形のプレート部５２と、プレート部５２の互いに対向する二辺から下方に向けて折り曲げ形成された垂下部５３と、垂下部５３の下端からプレート部５２の中央側に向けて折り曲げ形成された取付片５４と、が一体に形成されている。
取付片５４には、その上面の複数個所に、ナット部材５４Ｎが溶接等により固定されている。図５、図６に示すように、ボックス本体２１の底板部２２に形成された貫通孔２８を通して、底板部２２の下方から図示しないボルト部材をナット部材５４Ｎにねじ込むことで、ベースプレート５１がボックス本体２１の底板部２２に固定可能とされている。
【００２６】
プレート部５２の下方には、下方に向けて凹となる溝５５ａを有したサポート部材５５が、溶接等によってプレート部５２に一体に設けられている。この溝５５ａは、上方から下方に向けてその幅が漸次縮小するテーパ状とされている。
サポート部材５５の溝５５ａ上には、円筒状のスリーブ部材（支柱支持部）５６が一体に固定されている。スリーブ部材５６は、サポート部材５５とプレート部５２とを貫通してプレート部５２の上方に所定長突出し、サポート部材５５とプレート部５２の２個所において溶接等によって強固に固定されている。円筒状のスリーブ部材５６の上下には、所定内径を有した円筒状のブッシュ５６ｂ，５６ｂが嵌め込まれている。
底板部２２には、このスリーブ部材５６の下端が突き当たる位置に貫通孔２９が形成されている。そして、底板部２２の下方からノブボルト５８が貫通孔２９を通して下側のブッシュ５６ｂにねじ込まれることによって、スリーブ部材５６が底板部２２に固定されるようになっている。
【００２７】
このようなスリーブ部材５６には、支柱５０の下端部５０ａを挿入して支持できるようになっている。支柱５０は、少なくともその下端部５０ａが、ブッシュ５６ｂの内径に合致した外径を有している。支柱５０は、下端部５０ａが、スリーブ部材５６の上下のブッシュ５６ｂ，５６ｂに挿入されることで、天板１１の上面１１ａに直交した状態で起立して保持される。支柱５０が、照明装置等の電気器具の支柱５０である場合、支柱５０を中空筒状とし、その内部に電源コード７４を挿通させることができ、下端部５０ａには、その内外を貫通する配線取出し孔６０が形成される。この電源コード７４は、配線取出し孔６０から支柱５０外に取り出され、ボックス本体２１の配線挿通部２６や配線挿通部２７を通してボックス部２０外に導出することができる。
また、支柱５０と、スリーブ部材５６とには、スリーブ部材５６内に支柱５０を挿入したときに互いに合致する位置（高さ）に、ネジ孔６１と貫通孔６２が形成されている。支柱５０は、貫通孔６２を通してユリアネジ６３をネジ孔６１にねじ込むことで、スリーブ部材５６に固定することができる。
【００２８】
このようにして支柱５０が、ベースプレート５１によってボックス部２０内に強固に固定される。
そして、蓋部材４１，４１を、支柱５０を挟み込むようにして設置することで、開口部１３を塞ぐことができる。このとき、支柱５０に、蓋部材４１を、凹部４２ａの周囲で支持するために、外周に張り出すフランジ部６４を設けることもできる。
【００２９】
このようにして、ボックス部２０内にベースプレート５１を設置することで、支柱５０を安定して支持することが可能となる。さらに、ベースプレート５１には、支柱５０の下端部５０ａが挿入可能な筒状のスリーブ部材５６が設けられているため、支柱５０を、より強固に支持できる。このようにして、支柱５０を強固に支持することが可能となる。
しかも、支柱５０を支持するためのベースプレート５１やスリーブ部材５６は、ボックス部２０内に収容されるため、天板１１上の美観を向上させることができる。
【００３０】
さらに、蓋体４０により、支柱５０の不使用時はもちろんのこと、支柱５０を挿通させる貫通孔４２を有しているため、支柱５０の使用時においても開口部１３を塞ぐことができる。これにより、天板１１上のスペースの有効利用を図るとともに、美観をより一層向上させることができる。また、蓋体４０は、貫通孔４２を中心として複数の蓋部材４１，４１に分割されているため、支柱５０を設置した状態のまま、開口部１３を開閉することもできる。
【００３１】
また、ボックス本体２１には、天板１１の下方においてボックス本体２１の内外を連通する配線挿通部２６，２７が形成されているので、支柱５０から導出される電源コード７４等をボックス本体２１の内外に挿通させることができる。
【００３２】
ここで、支柱５０は、例えば図１に示すような照明装置７０を支持するために用いることができる。この場合、支柱５０の上端部に、基板などを内蔵したコア部７１を設け、コア部７１の外周側に複数の照明ユニット７２が装着されたものを、照明装置７０として用いることができる。
これ以外にも、支柱５０は、図１に示した照明装置７０に限らず、他の照明装置を支持するために用いることもでき、さらには、照明装置７０以外の各種オプション部材を支持するために用いることもできる。
【００３３】
（その他の実施形態）
なお、本発明は、図面を参照して説明した上述の実施形態に限定されるものではなく、その技術的範囲において様々な変形例が考えられる。
例えば、図１０、図１１に示すように、ボックス部２０を長方形状とした場合にも、開口部１３やボックス本体２１を長方形状に形成して、底板部２２の中央部に、上記実施形態と同様のベースプレート５１を取り付け、支柱５０を設けるようにしても良い。ボックス部２０を長方形状とする場合、図１０に示すように、側板部２３Ａにおいて、中間壁部２３ｄを間隔を隔てて複数（図１０の例では２個所）に設け、互いに隣接する中間壁部２３ｄ，２３ｄ間にも延長壁部２３ｅを設けるようにしても良い。
【００３４】
また、受け部材３０は、上記した構成に限るものではなく、蓋部材４１を支持できるのであれば、例えばオプション部材保持穴３５を省略する等、適宜他の構成としても良い。
さらに、上記実施形態では、什器の一例としてテーブル１０を示したが、これ以外にも、デスク、カウンター等、天板を有したものであれば様々な什器に本発明を適用することができる。
これ以外にも、本発明の主旨を逸脱しない限り、上記実施の形態で挙げた構成を取捨選択したり、他の構成に適宜変更することが可能である。
【符号の説明】
【００３５】
１０  テーブル（什器）
１１  天板
１１ａ  上面
１１ｂ  下面
１２  脚部
１３  開口部
１３ａ  隅部
１３ｂ  周縁部
２０  ボックス部
２１  ボックス本体
２２  底板部（底面）
２２ａ  辺
２３，２３Ａ，２３Ｂ  側板部
２３ｄ  中間壁部
２３ｅ  延長壁部
２４  取付プレート部
２５  貫通孔
２６，２７  配線挿通部（連通部）
２８  貫通穴
２９  貫通穴
３０  受け部材
３１  取付ベース部
３２  ブラケット部
３３  貫通孔
３５  オプション部材保持穴
３６  受け部
４０  蓋体
４１  蓋部材
４１ａ  長辺
４１ｂ  長辺
４１ｃ  短辺
４１ｄ  角部
４２  貫通孔（支柱挿通孔）
４２ａ  凹部
４３，４４  張り出し部
４３ａ，４４ａ  端部（被支持部）
４３ｂ，４４ｂ  残部
４５  切り欠き部
５０  支柱
５０ａ  下端部
５１  ベースプレート
５２  プレート部
５３  垂下部
５４  取付片
５４Ｎ  ナット部材
５５  サポート部材
５５ａ  溝
５６  スリーブ部材（支柱支持部）
５６ｂ  ブッシュ
５８  ノブボルト
６０  孔
６１  ネジ孔
６２  貫通孔
６３  ユリアネジ
６４  フランジ部
７０  照明装置
７１  コア部
７２  照明ユニット
７４  電源コード
【図１】
2014090931.tif 000003
【図２】
2014090931.tif 000004
【図３】
2014090931.tif 000005
【図４】
2014090931.tif 000006
【図５】
2014090931.tif 000007
【図６】
2014090931.tif 000008
【図７】
2014090931.tif 000009
【図８】
2014090931.tif 000010
【図９】
2014090931.tif 000011
【図１０】
2014090931.tif 000012
【図１１】
2014090931.tif 000013